(57)【特許請求の範囲】
【請求項１】
空気浄化装置を備えた移動自在な架台上に被剖検体を載置可能のトレーを設けると共に、当該トレーの周囲に沿って設けた多数の吸引口から空気を吸引して前記空気浄化装置に導くための送風装置を前記架台の長手方向の一端側に備え、この送風装置の排風側に接続した排風ダクトを前記一端側に設けると共に前記排風ダクトの送風口を前記トレーの一側上方に配置し、この送風口から送風されるエアーカーテンを前記トレーの他側部側へ斜め下方向に指向した構成であることを特徴とする空気浄化装置を備えた作業台。
【請求項２】
請求項１に記載の作業台において、前記架台に対して前記トレーを着脱交換可能に設けたことを特徴とする空気浄化装置を備えた作業台。
【請求項３】
請求項１又は２に記載の作業台において、前記排風ダクトを前記トレーの角部に対応した位置へ退避移動可能に設けたことを特徴とする空気浄化装置を備えた作業台。
【請求項４】
請求項１，２又は３に記載の作業台において、前記架台に対して前記トレーを上下位置調節可能に設けたことを特徴とする空気浄化装置を備えた作業台。
【請求項５】
請求項１，２，３又４に記載の作業台において、前記トレーに書見台を着脱可能に備えたことを特徴とする空気浄化装置を備えた作業台。
【請求項６】
請求項５に記載の作業台において、前記架台側に書見台を収容自在の書見台収容部を備えたことを特徴とする空気浄化装置を備えた作業台。
【請求項７】
請求項１〜６の何れか１項に記載の作業台において、前記トレーに設けた排水口を、排水は許容するが外気の吸引を抑制するための吸引抑制手段によって封止してあることを特徴とする空気浄化装置を備えた作業台。
【請求項８】
請求項１〜７の何れか１項に記載の作業台において、空気浄化装置に備えられた吸着剤は複数段又は複数層に形成してあり、前記複数段又は複数層の吸着剤の間は空間に、又は空気透過部材を介在した構成としてなることを特徴とする空気浄化装置を備えた作業台。
【請求項９】
被剖検体を載置可能な架台と、この架台の一側上方に設けられ架台上の被剖検体から上昇する汚染ガスを当該架台の他側部へ吹き流すエアーカーテンを形成する送風口と、前記架台の他側に設けられた排風口と、この排風口から吸引した空気を浄化する浄化装置と、前記排風口から空気を吸引しかつ前記送風口から浄化した空気を噴出するための送風装置とを備え、前記架台は複数のキャスタを介して移動自在であって、前記浄化装置は前記架台の内部に設けてあり、かつ前記送風装置は前記架台の長手方向の一端側に備えられていると共に前記送風口を備えた排風ダクトが前記一端側に備えられており、前記エアーカーテンは斜め下方向に指向されていることを特徴とする空気浄化装置を備えた作業台。
【発明の詳細な説明】
【０００１】
【発明の属する技術分野】
本発明は、例えばホルマリンに浸漬した被剖検体の解剖等を行う実験台や解剖台等のごとき作業台に係り、さらに詳細には、前記被剖検体から発生するホルムアルデヒド等の汚染ガスを浄化する空気浄化装置を備え、前記作業台から周囲への汚染ガスの拡散を防止するようにした作業台に関する。
【０００２】
【従来の技術】
従来、多孔板からなる作業板を上部に備えたケース内に、前記作業板の多数の孔から空気を吸引するためのファンを備えると共に、吸引した空気を浄化するための空気浄化装置を備えた構成の作業台がある（例えば特許文献１参照）。
【０００３】
【特許文献１】
特開２００１−１７８８０２号公報
【０００４】
【発明が解決しようとする課題】
前記特許文献１に記載の発明の構成においては、作業板上において解剖等の作業を行うとき、被剖検体から発散する汚染ガスを作業板の多数の孔から吸引することができるものの、作業時の空気の流れ等により前記被剖検体から汚染ガスが直接上昇するような場合には、汚染ガスの吸引が困難であるという問題がある。
【０００５】
【課題を解決するための手段】
本発明は前述のごとき従来の問題に鑑みてなされたもので、請求項１に係る発明は、空気浄化装置を備えた移動自在な架台上に被剖検体を載置可能のトレーを設けると共に、当該トレーの周囲に沿って設けた多数の吸引口から空気を吸引して前記空気浄化装置に導くための送風装置を前記架台の長手方向の一端側に備え、この送風装置の排風側に接続した排風ダクトを前記一端側に設けると共に前記排風ダクトの送風口を前記トレーの一側上方に配置し、この送風口から送風されるエアーカーテンを前記トレーの他側部側へ斜め下方向に指向した構成であることを特徴とするものである。
【０００６】
請求項２に係る発明は、請求項１に記載の作業台において、前記架台に対して前記トレーを着脱交換可能に設けた構成である。
【０００７】
請求項３に係る発明は、請求項１又は２に記載の作業台において、前記排風ダクトを前記トレーの角部に対応した位置へ退避移動可能に設けた構成である。
【０００８】
請求項４に係る発明は、請求項１，２又は３に記載の作業台において、前記架台に対して前記トレーを上下位置調節可能に設けた構成である。
【０００９】
請求項５に係る発明は、請求項１，２，３又４に記載の作業台において、前記トレーに書見台を着脱可能に備えた構成である。
【００１０】
請求項６に記載の発明は、請求項５に記載の作業台において、前記架台側に書見台を収容自在の書見台収容部を備えた構成である。
【００１１】
請求項７に記載の発明は、請求項１〜６の何れか１項に記載の作業台において、前記トレーに設けた排水口を、排水は許容するが外気の吸引を抑制するための吸引抑制手段によって封止してある構成である。
【００１２】
請求項８に記載の発明は、請求項１〜７の何れか１項に記載の作業台において、空気浄化装置に備えられた吸着剤は複数段又は複数層に形成してあり、前記複数段又は複数層の吸着剤の間は空間に、又は空気透過部材を介在した構成としてなるものである。
【００１３】
請求項９に係る発明は、被剖検体を載置可能な架台と、この架台の一側上方に設けられ架台上の被剖検体から上昇する汚染ガスを当該架台の他側部へ吹き流すエアーカーテンを形成する送風口と、前記架台の他側に設けられた排風口と、この排風口から吸引した空気を浄化する浄化装置と、前記排風口から空気を吸引しかつ前記送風口から浄化した空気を噴出するための送風装置とを備え、前記架台は複数のキャスタを介して移動自在であって、前記浄化装置は前記架台の内部に設けてあり、かつ前記送風装置は前記架台の長手方向の一端側に備えられていると共に前記送風口を備えた排風ダクトが前記一端側に備えられており、前記エアーカーテンは斜め下方向に指向されていることを特徴とするものである。
【００１４】
【発明の実施の形態】
図１〜図４を参照するに、本実施の形態に係る作業台１は、複数のキャスター３を備えて移動自在の箱状の架台５を備えており、この架台５の内部は第１浄化室７Ａと第２浄化室７Ｂとに区画してある。そして、上記第１，第２の浄化室７Ａ，７Ｂ内には、空気浄化装置の一例として、例えば活性炭などのごとき適宜の吸着剤を備えたカートリッジ型のフィルター９が引出して個別に交換可能なように複数段に配置してある。
【００１５】
前記架台５の左右両側部には、被剖検体（図示省略）を載置可能のトレー１１を支持するトレー支持部材１３Ｌ，１３Ｒが上下位置調節自在に設けられている。より詳細には、前記トレー支持部材１３Ｌ，１３Ｒは前後方向（図１において紙面に垂直な方向）に長く設けてあり、このトレー支持部材１３Ｌ，１３Ｒの前後端付近の下部には、支柱１５が垂直に設けてある。そして、前記架台５の左右両側の前後側に垂直に備えた複数の支持筒１７に前記各支柱１５が上下動可能に嵌合してある。
【００１６】
前記トレー支持部材１３Ｌ，１３Ｒに支持されたトレー１１の高さ位置を調節するために、前記各支柱１５には、当該支柱１５を水平に貫通した複数のピン穴１５Ｈが上下方向に適宜間隔に設けてあり、前記支持筒１７の上部に設けたピン穴１７Ｈと一致した各支柱１５のピン穴１５Ｈにはピン（図示省略）が貫通してある。
【００１７】
したがって、各支柱１５に設けた所望位置のピン穴１５Ｈと支持筒１７に設けたピン穴１７Ｈとを一致した状態においてピンを挿入し貫通することにより、トレー支持部材１３Ｌ，１３Ｒを所望の高さ位置に調節でき、このトレー支持部材１３Ｌ，１３Ｒに支持されたトレー１１の高さ位置を調節することができるものである。
【００１８】
なお、上記構成においては、各支柱１５に所望間隔にピン穴１５Ｈを設けた構成であるから、トレー１１の高さ位置調節は段階的である。しかし、次のごとき構成とすることにより、トレー１１の高さ位置を任意に調節することができるものである。
【００１９】
すなわち、前記各支柱１５を垂直なネジ部材の構成とし、この各ネジ部材に相対的に上下動自在に螺合したナット部材を、前記各支持筒１７の上部に回転自在に支持された各プーリ又は各チエンスプロケットに一体的に設ける。そして、各プーリ又はチエンスプロケットに掛回したエンドレス状のベルト又はチエンを、適宜位置に設けた操作ハンドル（図示省略）によって回転し、すべてのプーリ又はチエンスプロケットを連動して回転する構成とする。
【００２０】
上記構成により、各支柱１５としてのネジ部材に螺合した各ナット部材を同時に同方向へ回転することができ、各ネジ部材を同時に上下動して前記トレー１１を水平に保持して上下調節することができるものである。すなわち、架台５に対してトレー１１を上下位置調節する構成としては種々の構成を採用することができるものである。
【００２１】
前記トレー１１は、図２に示すように、左右方向に長い矩形状をなしており、その底部は、図１に示すように、長手方向の一端側（右側）が低くなるように傾斜してある。そして、上記トレー１１の周縁には断面形状が矩形状の枠部１９が一段高く形成してあり、この枠部１９によって囲繞された内側の領域内には、被剖検体を載置可能の支持プレート２１が複数（本例では４枚）に分割して配置してある。
【００２２】
上記各支持プレート２１には、当該支持プレート２１上の被剖検体から滴下した液体を、各支持プレート２１と前記トレー１１の底部との間の空間内に流下するための多数の透孔２１Ｈが少なくともトレー１１の周縁に沿って形成してある。そして、流下した液体を外部へ排出するために、前記トレー１１の底部には、排水口２３が設けてあると共に前記支持プレート２１とトレー１１の底部との間の空間内の空気を吸引して排出するための排風口（吸引口）２５が設けてある。
【００２３】
そして、前記排水口２３からの排水を貯水槽２７（図３参照）等へ導くために、前記トレー支持部材１３Ｒに一体的に設けた昇降プレート２９（図３参照）の下部には、前記排水口２３と接続自在な接続排水口３１が設けてあり、この接続排水口３１に一端側を接続したパイプ等の接続管３３の他端部は、前記貯水槽２７内の液体内に没入してある。
【００２４】
したがって、前記排水口２３からの排水を接続排水口３１及び接続管３３を介して貯水槽２７へ排出することができる。そして、前記支持プレート２１と前記トレー１１の底部との間の空間内の排風を行う際に、当該空間内が僅かに負圧になったときには、接続管３３内に貯水槽２７内の液体が僅かに吸上げられるものの前記接続排水口３１のところまでは吸上げられることなく、接続管３３から外気が吸引されることを防止しているものである。
【００２５】
上述のように、排水口２３からの排水を許容するが外気の吸引を抑制するための吸引抑制手段によって接続排水口３１を封止する構成としては、前述の構成に限ることなく、吸引抑制手段として、例えばチェック弁のごとき逆流防止弁を前記接続排水口３１又は接続管３３等に設けた構成とすることも可能である。
【００２６】
前記排風口２５から排風を行うために、前記昇降プレート２９の下部には前記排風口２５と接続自在の筒状の上吸込部３５が垂設してあり、この上吸込部３５の下部は、前記架台５の右側面に備えた箱状の吸込み口部３７の上部に設けた筒上の下吸込部３９に上下動可能に嵌入してあり、上吸込部３５と下吸込部３９との間にはシールが設けられている。
【００２７】
前記吸込み口部３７内には、吸引された空気中のミストを収容するミストタンク４１が収納してあると共に、この吸込み口部３７の下部は前記第１浄化室７Ａの下部に連通してある。また、前記吸込み口部３７には、ミストタンク４１等を目視するための検視窓４３が設けてある。
【００２８】
前記排風口２５から空気を吸引するために、前記架台５の他側，すなわち左側部には例えばブロワ等のごとき送風装置４５（図１参照）が装着してあり、この送風装置４５の吸引口側は前記第２浄化装置７Ｂの上部側に接続してある。したがって、前記送風装置４５を駆動すると、第２，第１の浄化装置７Ｂ，７Ａ，吸込み口部３７，上吸込部３５及び排風口２５を介してトレー１１の底部と前記支持プレート２１との間の空間内の空気を吸引することになる。上記空間内の空気が吸引されて負圧になると、前記支持プレート２１に設けた多数の透孔２１Ｈからトレー１１上面の外気が吸引されることになる。この際、前述したように、排水口２３から外気が吸引されることはないものである。
【００２９】
したがって、トレー１１上の被剖検体から周囲に蒸散する傾向にあるホルムアルデヒド等の汚染ガスは前記透孔２１Ｈから吸引されることとなり、作業台１の周囲に拡散することはないものである。
【００３０】
前記送風装置４５のケーシングには、ヒンジ４７を介して排風ダクト４９が水平に回動可能に設けてある。この排風ダクト４９は、前記送風装置４５の排風側に接続してあって、当該排風ダクト４９の送風口５１は前記トレー１１の一側上方すなわち左側上方に位置してある。上記送風口５１は、噴出送風された空気が前記トレー１１の上方を通過してトレー１１の他側部に設けたフード５３に至るように指向してある。すなわち、上記送風口５１の指向方向としては、前記トレー１１上の被剖検体から蒸散して上昇する傾向にあるホルムアルデヒド等の汚染ガスをトレー１１の上部からトレー１１の他側部すなわち右側部に上下に回動可能に設けた前記フード５３の下部付近に吹き流すように僅かに斜め下方向に指向してある。
【００３１】
前記送風口５１の前後方向（図２において上下方向）の幅は、前記トレー１１の前後方向の幅にほぼ等しく、前述したように送風口５１から空気が噴出されたときには、前記トレー１１の上側に、被剖検体から上昇する傾向にある汚染ガスを他側部へ吹き流す作用をなす例えばエアーカーテンを形成する態様となり、トレー１１上の被剖検体から蒸散するホルムアルデヒド等の汚染ガスを前記フード５３側へ吹き流して、汚染ガスから術者を保護する作用をなすものである。そして、前記ヒンジ４７を中心として前記排風ダクト４９を水平に回動したときには、図２に示すように、前記トレー１１の角部に対応した５１Ａの退避位置に位置して、トレー１１に対して被剖検体の搬出入を行うときに邪魔になるようなことがないものである。
【００３２】
したがって、トレー１１上の被剖検体から蒸散して上昇する傾向にあるホルムアルデヒド等の汚染ガスは、前記送風口５１から噴出送風される空気の下層側に混入し前記フード５３方向へ流されて排風口２５から下方向へ吸引されるので、作業台１の周囲に拡散するようなことは防止されるものである。すなわち、前記透孔２１Ｈによってトレー１１の周囲から外気を吸引すること及び前記送風口５１から空気を送風することの両方の作用が相俟って、作業台１の周囲の汚染ガスの拡散を効果的に防止することができるものである。
【００３３】
ところで、前記フード５３は、トレー１１に上下方向に回動可能に設けた場合について図示してあるが、前記トレー１１の枠部１９に対して係止自在のコ字形状のフック部を前記フード５３に設けて、トレー１１に対してフード５３を着脱可能に設ける構成とすることも可能である。このような構成とすることにより、フード５３を各トレー１１に対して共用できることとなり、トレー１１の構成をより簡素化できるものである。
【００３４】
また、前記トレー１１上の被剖検体の解剖等を行う際に、書物等を参考にし易いように、書見台５５が設けてある。上記書見台５５は、前記トレー１１の枠部１９に係止自在のコ字形状のフック部５７を一側端に備えた平板であって、使用時には、図３に想像線で示すように、トレー１１に水平に支持されるものであり、不使用時には前記トレー支持部材１３Ｌ，１３Ｒに設けた係止フック５９に前記フック部５７を係止することによって垂直状態に収容されている。
【００３５】
すなわち、ここで収容とは、前記係止フック５９に書見台５５を垂直に係止した状態を意味するものであるが、書見台５５を収容する構成としては、書見台５５の不使用時に所定の位置に収めておくことができれば良いものであり、例えば前記架台５の一部に棚等の収容部を形成して書見台５５を収容する構成としても良いものである。
【００３６】
すなわち、書見台５５を収容するための書見台収容部の構成としては種々の構成を採用することができるものである。しかし、書見台収容部を架台５側に備えることにより、架台５に対してトレー１１を着脱交換した場合であっても、トレー１１に対して容易に取付けることができ、またトレー１１から取り外したときには邪魔にならないように収容することができるものである。
【００３７】
前記トレー支持部材１３Ｌ，１３Ｒに対して前記トレー１１を着脱するために、トレー１１の下面には前記トレー支持部材１３Ｌ，１３Ｒ上に載置自在の左右一対の台座６１が設けてあり、この台座６１の対向した内側面には、内側に開口したコ字形状の溝６３が形成してある。そして、前記トレー支持部材１３Ｌ，１３Ｒの後側部付近には前後方向に長いロックレバー６５の後端部がヒンジ６７を介して水平に回動可能に枢着してあり、このロックレバー６５を前記溝６３に係合することにより、前記トレー１１をトレー支持部材１３Ｌ，１３Ｒに対して固定することができるものである。
【００３８】
前記溝６３に前記ロックレバー６５を係合した状態において前記溝６３からロックレバー６５が離脱することを防止するために、前記トレー支持部材１３Ｌ，１３Ｒにはロック装置６９が設けてある。上記ロック装置６９は、出入自在のボール又はピン等のプランジャを備えた、例えばボールプランジャ等よりなるものであって、前記ロックレバー６５が当該ボールプランジャ上を通過するときにはボール等のプランジャをバネ等の付勢力に抗して押し下げることによって通過できるものである。よって、ロックレバー６５が前記ロック装置６９の位置を容易に通過することができず、前記溝６３にロックレバー６５が係合した状態に保持されるものである。
【００３９】
なお、ロック装置６９としての例えばボールプランジャ等は公知の構成であるから、ロック装置６９についての詳細な説明は省略する。前記ロック装置６９としては、前記溝６３に前記ロックレバー６５を係合した状態に保持する機能があれば良いものであり、ボールプランジャ等に限ることなく、例えばロックレバー６５を固定自在のピン、ボルト等の構成をも採用可能である。すなわち、ロック装置６５としては種々の構成を採用することができるものである。
【００４０】
前記構成より理解されるように、トレー１１の下部に備えた台座６１の溝６３にロックレバー６５を係合することにより、架台５に対してトレー１１を固定することができ、また前記溝６３からロックレバー６５を離脱することにより、架台５からトレー１１を取り外すことができるものである。すなわち、架台５に対してトレー１１を着脱交換することができるものである。
【００４１】
したがって、トレー１１上の被剖検体の解剖を行った後、前記被剖検体をホルマリンによって保存処理を行い、その後にトレー１１に被剖検体を載置した状態において架台５に対してトレー１１の着脱交換を行うことができるものである。
【００４２】
なお、架台５に対してトレー１１の着脱を行うに際し、架台５に対してトレー１１を常に正確に位置決めするために、トレー１１に備えた前記台座６１に当接してトレー１１の左右方向の位置決めを行なうためのストッパ（図示省略）や前後方向の位置決めを行なうためのストッパ等の位置決め手段が設けてあり、架台５に対してトレー１１は常に正確に装着されるものである。
【００４３】
前記トレー１１上の被剖検体の解剖等を行うとき、トレー１１の高さを調節することができるので適正高さとすることができる。そして、解剖等を行うとき、例えばノートや参考書等を見たい場合には書見台５５をトレー１１に水平に取付けることができるので、ノートや参考書等を術者の近くにおくことができるものである。
【００４４】
そして、被剖検体の解剖等を行う際には、送風装置４５を駆動することにより、前述したように、送風口５１から送風される空気によって、被剖検体から発生し上昇するホルムアルデヒド等の汚染ガスはフード５３側へ吹き流されこととなり、術者を保護することができるものである。
【００４５】
また、前記送風装置４５を駆動することにより、トレー１１の上面付近の空気は支持プレート２１に設けた透孔２１Ｈから下方向へ吸引され、かつ前記送風口５１から前記フード５３側へ指向して噴出送風されて汚染ガスが混入した部分の空気は、フード５３の位置において下方向へ指向され、同様に吸引されるものである。さらに、被剖検体から流下した液体も前記透孔２１Ｈから下側へ流下するものである。
【００４６】
したがって、被剖検体から蒸散したホルムアルデヒド等の汚染ガスが作業台１の周囲に拡散することを効果的に防止できるものである。
【００４７】
そして、前記支持プレート２１とトレー１１の底部との空間に流入した流体は、底部の傾斜に沿って自重により排水口２３に流れ、この排水口２３から前記貯水槽２７に流出するものであり、上記空間内の空気は、排風口２５から吸込み口部３７へ吸引され、かつ第１，第２の浄化室７Ａ，７Ｂ内のフィルター９を通過するときに、空気中の汚染ガスの吸着が行われ、空気の浄化が行われるものである。
【００４８】
この浄化された空気が前記送風装置４５に吸引され、前述したように送風口５１から幅の広いエアーカーテン状に送風されて、前述したように、上昇する傾向にある汚染ガスをフード５３の方向へ吹き流すものである。
【００４９】
前述のように、送風装置４５の吸引作用によってトレー１１の底部と支持プレート２１との間の空間が負圧になっても、前述したように、排水口２３からの外気の吸引が防止されるので、前記支持プレート２１の透孔２１Ｈからの外気の吸込みが効果的に行われ得ると共に前記空間内の液体の排出を効果的に行うことができるものである。
【００５０】
そして、トレー１１の洗浄時には、架台５からトレー１１を取り外して洗浄することができ、また複数に分割してある支持プレート２１をトレー１１から取り外して洗浄することができるので、トレー１１及び支持プレート２１の洗浄を容易に行うことができるものである。
【００５１】
図５は本発明の実施形態に係る前記空気浄化装置におけるフィルター９の構成を示すもので、このフィルター９は、例えば活性炭等のごとき適宜の吸着剤の層７１を複数段又は複数層に区画して内装した枠体７３を備えており、この枠体７３の下端縁７３Ｆは内側に張り出したフランジ状に形成してある。上記吸着剤の層７１の間は空間７５に形成してある。上記空間７５は、単なる空間であってもよく、又は空間７５に金網や空間割合の高いフィルター等の空気透過部材を介在した構成であってもよいものである。
【００５２】
上記構成により、前記空間７５に面した吸着剤の層７１は、空間７５側が開放された構成であるから、吸着剤の粒子が相互に接触した接触面積が少ないものとなる。換言すれば、前記空間７５に面した吸着剤の表面積のデッドゾーン（吸着剤の粒子が互いに接触した部分の面積）が小さくなるので、全体として吸着剤の表面積を大きくすることとなり、汚染ガスの吸着率を高くすることができるものである。
【００５３】
また、吸着剤の一層目を通過して二層目との間の空間７５に達した空気は、二層目の空気抵抗により上記空間７５内において全体に拡がる傾向にあり、吸着剤の二層目に対して汚染ガスが均等に分布して二層目を通過することとなり、汚染ガスの吸着率がより向上するものである。
【００５４】
したがって、フィルター９に対して汚染ガスが上方又は下方から、或いは交互に通過する構成の場合であっても、吸着剤の層７１でもって汚染ガスを効率良く吸着できるものである。
【００５５】
この際、例えばフィルター９に対して汚染ガスの混合した空気が下方から通過する場合、吸着剤と枠体７３の内面との接触部付近においては、空気抵抗が小さく枠体７３の内面に沿って空気が流れる傾向にあるが、前記枠体７３の下端縁７３Ｆが内側に折り曲げてあることにより、前記枠体７３の内面に沿っての流れが阻害される傾向にあり、空気の流れが偏るようなことは無く、空気の流れは全体的に均等化されるものである。よって吸着剤が汚染ガスを吸着した結果としての劣化は全体的に平均的に生じるものである。
【００５６】
図６は、空気浄化装置の第２の実施形態を示すもので、この実施形態においては、空気の出入口７７Ａ、７７Ｂを備えた枠体７７内に大略Ｚ形状の支持プレート７９を複数段設け、この複数段の支持プレート７９によってフィルター９を適宜に離隔して支持した構成である。
【００５７】
この構成においては、並列した各フィルター９の間には大きな空間が形成されており、かつ各支持プレート７９に沿って汚染ガスの混合した空気が前記各フィルター９に同時に案内されることとなるので、汚染ガスの処理能力が向上するものである。なお、この構成においてもフィルター９に対して汚染ガスを上方向又は下方向から供給することも可能なものである。
【００５８】
【発明の効果】
以上のごとき説明より理解されるように、本発明によれば、トレー上の被剖検体から発生して上昇する傾向にあるホルムアルデヒドの汚染ガスや被剖検体から周囲に発散する傾向にある汚染ガスが作業台の周囲に拡散することを防止でき、前述したごとき従来の問題を解消し得るものである。
【図面の簡単な説明】
【図１】本発明の実施の形態に係る作業台の正面説明図である。
【図２】本発明の実施の形態に係る作業台の平面説明図である。
【図３】本発明の実施の形態に係る作業台の右側面説明図である。
【図４】本発明の実施の形態に係る作業台の左側面説明図である。
【図５】フィルターの構成を示す構成説明図である。
【図６】空気浄化装置の構成を示す説明図である。
【符号の説明】
１  作業台
５  架台
７Ａ，７Ｂ  第１，第２洗浄室
９  フィルター
１１  トレー
１３Ｌ，１３Ｒ  トレー支持部材
１５  支柱
１７  支持筒
１９  枠部
２１  支持プレート
２１Ｈ  透孔
２３  排水口
２５  排風口
２７  貯水槽
２９  昇降プレート
３５  上吸込部
３７  吸込み口部
３９  下吸込部
４５  送風装置
４９  排風ダクト
５１  送風口
５３  フード
５５  書見台
６１  台座
６３  溝
６５  ロックレバー
６９  ロック装置
【図１】
0003706099.tif 000002
【図２】
0003706099.tif 000003
【図３】
0003706099.tif 000004
【図４】
0003706099.tif 000005
【図５】
0003706099.tif 000006
【図６】
0003706099.tif 000007